(57)【要約】【課題】複数枚のカ−テンの重なり状態を自然なものとしてカ−テンの重なり状態の見栄えを向上し得るカ−テン吊り具を提供する。【解決手段】前後のカ−テン２，３を同時に吊下し得るカ−テン吊り具であり、前のカ−テン２に取り付く吊り具本体２０の上側係合部２１に対してラチェット式に下方に移動可能の第１の摺動部材２２を有する。吊り具本体２０の下側部分に設けられた支持部２３に、吊り具本体２０の下端２５よりも上方に位置させて、後のカ−テン３を掛け止めし得る掛着部２６を有する。掛着部２６は、後のカーテン３の上端縁７９を重ね片９の下端縁１８よりも上方に位置させることができるように、吊り具本体２０の下端２５よりも上方に位置する。吊り具本体２０には、上側係合部２１と支持部２３との間に、第１の摺動部材２２を取り外すための取り外し用間隙部２７を有する。【選択図】図２
2015146889.tif 000002
【特許請求の範囲】
【請求項１】
カーテン生地の上端側の部分に重ね片が重ね合わせられることによってカーテン上縁側の部分が構成されると共に、上下方向に延長し且つ下端開放の挿入部が該カーテン上縁側の部分に設けられてなる前のカ−テンと、これに重なる後のカ−テンとを吊下するために用いられるカ−テン吊り具であって、
前記前のカ−テンに取り付けられる吊り具本体の前面の下端側に、前記挿入部の下端縁部に当接し得る当接部を有した前方突出部が設けられると共に、該前方突出部に、前記挿入部に挿入される挿入杆が設けられており、
又、前記吊り具本体に、その上側部分に設けられている上側係合部に対してラチェット式に下方に移動可能に係合し得る第１の摺動部材が設けられ、該第１の摺動部材は、前記上側係合部に上下方向に延長する如く設けられている第１のラチェット歯列に対して下方に移動可能に弾性的に係合する第１のラチェット爪片を有した第１の摺動部が設けられており、該第１の摺動部に、カ−テンランナーに掛け止め可能なフックが設けられており、
又、前記吊り具本体の下側部分に設けられた支持部に、前記後のカーテンを掛け止めし得る掛着部が設けられており、該掛着部は、前記後のカーテンの上端縁を前記重ね片の下端縁よりも上方に位置させることができるように、前記吊り具本体の下端よりも上方に位置させて設けられており、
又、前記吊り具本体には、前記上側係合部と前記支持部との間に取り外し用間隙部が設けられており、前記第１の摺動部材が下方に移動して前記第１のラチェット歯列と前記第１のラチェット爪片との係合が解除されて前記第１の摺動部が該取り外し用間隙部に位置することにより、前記第１の摺動部材が前記吊り具本体から取り外されることを特徴とするカ−テン吊り具。
【請求項２】
カーテン生地の上端側の部分に重ね片が重ね合わせられることによってカーテン上縁側の部分が構成されると共に、上下方向に延長し且つ下端開放の挿入部が該カーテン上縁側の部分に設けられてなる前のカ−テンと、これに重なる後のカ−テンとを吊下するために用いられるカ−テン吊り具であって、
前記前のカーテンに取り付けられる吊り具本体の前面の下端側に、前記挿入部の下端縁部に当接し得る当接部を有した前方突出部が設けられると共に、該前方突出部に、前記挿入部に挿入される挿入杆が設けられており、
又、前記吊り具本体に、その上側部分に設けられている上側係合部に対してラチェット式に下方に移動可能に係合し得る第１の摺動部材が設けられ、該第１の摺動部材は、前記上側係合部に上下方向に延長する如く設けられている第１のラチェット歯列に対して下方に移動可能に弾性的に係合する第１のラチェット爪片を有した第１の摺動部が設けられており、該第１の摺動部に、カ−テンランナ−に掛け止め可能なフックが設けられており、
又、前記吊り具本体に、その下側部分に設けられている下側係合部に対してラチェット式に上方に移動可動に係合し得る第２の摺動部材が設けられ、該第２の摺動部材は、前記下側係合部に上下方向に延長する如く設けられている第２のラチェット歯列に対して上方に移動可能に弾性的に係合する第２のラチェット爪片を有した第２の摺動部が設けられており、該第２の摺動部に、前記後のカ−テンを掛け止めし得る掛着部が設けられており、該掛着部は、前記後のカーテンの上端縁を前記重ね片の下端縁よりも上方に位置させることができるように、前記吊り具本体の下端よりも上方に位置させて設けられており、
又、前記吊り具本体には、前記上側係合部と前記下側係合部との間に取り外し用間隙部が設けられており、前記第１の摺動部材が下方に移動して前記第１のラチェット歯列と前記第１のラチェット爪片との係合が解除されて前記第１の摺動部が該取り外し用間隙部に位置することにより、前記第１の摺動部材が前記吊り具本体から取り外される一方、
前記第２の摺動部材が上方に移動して前記第２のラチェット歯列と前記第２のラチェット爪片との係合が解除されて前記第１の摺動部が前記取り外し用間隙部に位置することにより、前記第２の摺動部材が前記吊り具本体から取り外されることを特徴とするカ−テン吊り具。
【請求項３】
前記掛着部は、前記支持部から後方に突出する後方突出部の先側部位に設けられた掛止環を有して構成されており、該掛止環の有する掛止孔の孔心が前後方向に設定されていることを特徴とする請求項１記載のカ−テン吊り具。
【請求項４】
前記掛着部は、前記支持部から後方に突出する後方突出部の先側部位に前後方向で揺動可能に吊下され、且つ、重力の作用によって垂下状態を呈し得る掛止環を以て構成されており、該掛止環の有する掛止孔の孔心が前後方向に設定されていることを特徴とする請求項１記載のカ−テン吊り具。
【請求項５】
前記掛着部は、前記第２の摺動部から後方に突出する後方突出部の先側部位に設けられた掛止環を有して構成されており、該掛止環の有する掛止孔の孔心が前後方向に設定されていることを特徴とする請求項２記載のカ−テン吊り具。
【請求項６】
前記掛着部は、前記第２の摺動部から後方に突出する後方突出部の先側部位に前後方向で揺動可能に吊下され、重力の作用によって垂下状態を呈し得る掛止環を以て構成されており、該掛止環の有する掛止孔の孔心が前後方向に設定されていることを特徴とする請求項２記載のカ−テン吊り具。
【請求項７】
前記後方突出部と前記吊り具本体との間に、中間カ−テンの上縁部分に取り付けられたル−プ状吊下紐を引っ掛けるための引っ掛け溝部が設けられていることを特徴とする請求項１〜６の何れかに記載のカ−テン吊り具。
【発明の詳細な説明】
【技術分野】
【０００１】
本発明は、前のカーテンと、これに重なる後のカーテンとを同時に吊下するために用いることができ、更には、中間カ−テンも同時に吊下可能であるカ−テン吊り具に関するものである。
【背景技術】
【０００２】
前のカーテンと、これに重なる後のカーテンとを同時に吊下できるように構成されたカ−テン吊り具の一例としては特許文献１が開示するものが提案されている。
【０００３】
該カ−テン吊り具ａは図１９〜２０に示すように、前のカーテンｂと、これに重なる後のカーテンｃとを同時にカーテンランナ−ｄに吊下可能となされており、前のカーテンｂに取り付けられる上下に長い吊り具本体ｅの後面側に、縦方向に延長する如くラチェット歯列ｆが設けられていた。該ラチェット歯列ｆには、ラチェット式に下方に移動可能に弾性的に係合するラチェット爪片ｇを有した摺動部ｈが設けられており、該摺動部ｈに、カーテンランナ−ｄに掛け止め可能なフックｋが設けられていた。そして該摺動部ｈは、これが下方に移動して前記ラチェット歯列ｆと前記ラチェット爪片ｇとの係合が解除されることにより、図２０に一点鎖線で示すように該ラチェット歯列ｆから取り外されるようになされていた。又、前記吊り具本体ｅの前面ｍの下端に前方突出部ｎが設けられると共に、該前方突出部ｎに挿入杆ｐが上方に向けて突設されていた。
【０００４】
前記摺動部ｈを前記吊り具本体ｅから取り外し可能としているのは、前記前のカーテンｂの前記カーテンランナ−ｄに対する高さを調整せんとして前記摺動部ｈを下方に移動させる際に、移動の勢いによって該摺動部ｈが下方に行き過ぎて前記フックｋが設定高さよりも低くなってしまう場合が往々にして生ずるからである。このような場合は、該摺動部ｈを前記ラチェット歯列ｆの下方に更に移動させて、図２０に一点鎖線で示すように該摺動部ｈを該ラチェット歯列ｆの下端ｑから一旦取り外した後、再度、該ラチェット歯列ｆの上端側に対して該摺動部ｈを付け直し、該摺動部ｈを再度下方に移動させながら前記フックｋの高さを所要に設定することになる。かかることから、前記摺動部ｈをラチェット歯列ｆの下端ｑから取り外し可能となされていることが必須となるのであった。
【０００５】
又前記吊り具本体ｅの下端ｒには、前記後のカーテンｃを掛け止める掛止環ｓが設けられており、該掛止環ｓの掛止孔ｔは、前記後のカーテンｃに付設されているカーテンフックｕを側方から掛け止め得るように、その孔心が左右方向に設定されていた。該掛止環ｓを、このように前記吊り具本体ｅの下端ｒに設けているのは、前記摺動部ｈを前記ラチェット歯列ｆから前記のように取り外す際に該掛止環ｓが邪魔にならないようにするためであった。もしも前記掛止環ｓを、前記吊り具本体ｅの下端ｒよりも上方に位置させて設けたとすれば、前記摺動部ｈを下方に移動させたときに該摺動部ｈが該掛止環ｓに当たってしまい、該摺動部ｈを前記ラチェット歯列ｆから取り外すことができなくなってしまう。そのため、特許文献１に係るカーテン吊り具ａにあっては、該摺動部ｈを前記ラチェット歯列ｆから取り外し可能とするために、前記掛止環ｓを前記吊り具本体ｅの下端に設けざるを得なかったのである。
【０００６】
図１９は、かかる構成を有するカーテン吊り具ａを用いて、前のカーテンｂの後側に後のカーテンｃを重ねて両カーテンを同時にカーテンランナ−ｄに吊下した状態を示している。同図においては、前のカーテンｂと後のカーテンｃは、共に、カーテン生地ｗの上端ｘに一体に連設されてなる折り返し片ｙを下向きに折り返すと共に該折り返し片ｙの下端縁部分ｚを該カーテン生地ｗに縫製すると共に、これによって形成されたカーテンの上縁側の部分ａ１に、図２０に示すように、カーテン長さ方向に所要間隔を置いてひだｂ１が形成されていた。そして該ひだｂ１は図２１に示すように、ひだ基部側の縁部ｃ１を上下方向に縫製することによって縦方向縫製部ｄ１が形成されており、これによって、該ひだｂ１の内部には、図１９〜２１に示すように、下端開放の挿入部ｅ１が形成されていた。
【０００７】
そして、重なり状態にある前後のカーテンｂ，ｃの吊下状態は、図１９に示すように、前記カ−テンｂの前記挿入部ｅ１に前記カーテン吊り具ａの前記挿入杆ｐが挿入され、前記縦方向縫製部ｄ１の下端部ｆ１が前記前方突出部ｎの上端ｇ１に当接されており、この状態で、該前のカ−テンｂが前記フックｋを介して前記カ−テンランナ−ｄに掛け止めされていた。又、前記後のカ−テンｃがカ−テンフックｕを介して前記掛止環ｓに掛け止めされていた。このように構成された重ねカーテンｈ１にあっては、該後のカーテンｃの上端縁ｊ１が該前のカーテンｂの前記折り返し片ｙの下端縁ｋ１の稍上側に位置するように設定されていた。該前後のカーテンｂ，ｃの重なり状態をこのように設定していたのは、重ねカーテンｈ１を後側（窓の外側）から見た状態における両カーテンｂ，ｃの重なり状態を自然なものとしてカーテン重なり状態の見栄えを向上させるためであった。
【０００８】
特許文献１に係るカ−テン吊り具ａによって、このように見栄えのよい重ねカーテンｈ１を構成できるのは、該カ−テン吊り具ａの構成そのものによるのではなく、前のカーテンｂの前記上縁側の部分ａ１の特別な構成にあった。この点については、後に詳しく説明する。
【０００９】
ところで一般のカーテンｍ１は通常、例えば図２２に示すように、カーテン生地ｗの上端ｘに一体に連設されてなる折り返し片ｙを下向きに折り返すと共に該折り返し片ｙの下端縁部分ｚをカーテン幅方向に連続して縫製すると共に、これによって形成されたカーテンの上縁側の部分ａ１に、カーテン長さ方向に所要間隔を置いてひだｂ１を形成して構成されていた。該ひだｂ１は、図２２に示すように、ひだ基部側の縁部ｃ１を上下方向全長に亘って縫製することによって構成されており、該縫製により形成された縦方向縫製部ｄ１によって、該ひだｂ１の内部に、前記折り返し片ｙの下端ｎ１位置で下端開放状態にある挿入部ｅ１が形成されていた。
【００１０】
図２３は、かかる構成を有する重ねカーテンｈ１を前後のカ−テンｂ，ｃとして用い、これらのカ−テンを特許文献１記載のカ−テン吊り具ａを用いて吊下した状態を示している。図２３において前記前のカーテンｂは、前記挿入部ｅ１に前記カーテン吊り具ａの前記挿入杆ｐが挿入され、前記縦方向縫製部ｄ１の下端部ｆ１が前記前方突出部ｎの上端ｇ１に当接された状態にある。そしてこの状態で、前記前のカ−テンｂが前記フックｋを介して前記カーテンランナーｊに掛け止めされている。又、前記後のカーテンｃがカーテンフックｕを介して前記掛止環ｓに掛け止めされている。従って、このカ−テン吊下状態では、前記のように、掛止環ｓが前記吊り具本体ｅの下端ｒに設けられているため、前記後のカーテンｃを掛け止めるカーテンフックｕを該掛止環ｓに掛け止めした状態では、例えば図２３に示すように、該後のカーテンｃの上端縁ｊ１が前記前のカーテンｂの折り返し片ｙの下端縁ｋ１よりも下側に位置した状態になり易く、その場合は、該上端縁ｊ１と該下端縁ｋ１との間に間隙ｐ１が形成されることとなる。
【００１１】
このように間隙ｐ１が形成されると、前後のカーテンｂ，ｃを吊下して形成された重ねカーテンｈ１を後側（窓の外側）から見た状態における両カーテンｂ，ｃの重なり状態が不自然で両カーテンの一体性が損なわれたものとなり、該重ねカ−テンｈ１の見栄えが悪くなってしまう。このことは、後のカーテンｃの上端縁ｊ１が前のカーテンｂの前記折り返し片ｙの下端縁ｋ１の上側に位置する図１９に示す状態と、後のカーテンｃの上端縁ｊ１が前記折り返し片ｙの下端縁ｋ１の下側に位置する図２３に示す状態を比較すれば明らかである。
【００１２】
加えて、図２３に示すように間隙ｐ１が生ずることは、該間隙ｐ１においては前のカーテンｂのカーテン生地ｗを通して光が室内に直接進入することになるため（後のカーテンｃで遮光されることがない）カーテンの遮光性が該間隙ｐ１部分で損なわれる問題を招来する。更に、前記折り返し片ｙの下端縁部分ｚを前記カーテン生地ｗに縫製することによって生じている縫い目を通して光が室内に進入することともなり、これも重ねカーテンの遮光性を減殺させる原因となる。
【００１３】
ところで、前のカーテンｂとこれに重なる後のカーテンｃとを前記カーテン吊り具ａを用いて同時にカーテンランナ−ｊに吊下した場合の一例を示す図１９においては、後のカーテンｃの上端縁ｊ１が前のカーテンｂの前記折り返し片ｙの下端縁ｋ１の上側に位置していて前記のような間隙ｐ１が形成されていないが、これは、該前のカーテンｂの前記上縁側の部分ａ１を特殊に縫製しているからである。即ち、該前のカーテンｂの前記ひだ基部側の縁部ｃ１を上下方向に縫製して縦方向縫製部ｄ１を形成する際、図２１に示すように、該縦方向縫製部ｄ１の下端部ｆ１を前記ひだ基部側の縁部ｃ１の下端部ｒ１より所要量、上方に位置させているからであった。
【００１４】
然して、前記縦方向縫製部ｄ１の下端部ｆ１を前記前方突出部ｎの上端ｇ１に当接状態として、前記後のカーテンｃの上縁側の部分ａ１に取り付けられているカーテンフックｕを前記掛止環ｓに掛け止めると、図１９に示すように、後のカーテンｃの上端縁ｊ１を前のカーテンｂの折り返し片ｙの下端縁ｋ１よりも上方に位置させることができる。前のカーテンｂに、かかる特別な縫製加工を施す結果、重ねカーテンｈ１を後側（窓の外側）から見た状態における両カーテンｂ，ｃの重なり状態を自然なものとなし得、前後のカーテンｂ，ｃの重なり状態の見栄えを向上できると共に、重ねカーテンの遮光性を向上させ得ることとなる。
【００１５】
しかしながら、そのためには前記のように、縦方向縫製部ｄ１の下端部ｆ１を前記ひだ基部側の縁部ｃ１の下端ｒ１よりも所要量、上方に位置させるという特別な縫製加工を施す必要があって、重ねカーテンｈ１の製造コストの上昇を招く問題があった。
【００１６】
かかる問題が生ずるのは、前記カーテン吊り具ａの構成そのものに原因があった。即ち前記カーテン吊り具ａにあっては、前記のように、前記摺動部ｈを、これを前記ラチェット歯列ｆの下端ｑの下方に移動させて取り外し可能としなければならなかったことから、前記掛止環ｓを前記吊り具本体ｅの下端ｒに設けざるを得なかったことに起因するのである。
【００１７】
又、前記カーテン吊り具ａの別の問題点として、後のカーテンｃの前記カ−テンフックｕを横方向から掛け止めなければならず、その掛け止めに困難な操作を要したことを挙げることができる。即ち、前記掛止環ｓの掛止孔ｔの孔心ｗが左右方向であったため、後のカーテンｃの上縁側の部分ａ１に取り付けられたカーテンフックｕを、後側から前方に向けて前記掛止環ｓに引っ掛けるということができなかった。従って、前記後のカーテンｃの前記折り返し片ｙを前側（前のカーテンｂ側）に向けた状態で該カーテンフックｕを前記掛止環ｓに掛け止めしようとすれば、該上縁側の部分ａ１を捩じって該カーテンフックｕを無理矢理に横向き状態にし、この状態で該カーテンフックｕを該掛止環ｓに掛け止めしなければならず、該掛止環ｓに対するカーテンフックｕの掛け止めに困難な操作を要する問題があったのである。
【００１８】
更に前記のように、前記縦方向縫製部ｄ１の下端部ｆ１を前記前方突出部ｎの上端ｇ１に当接状態としたときは、図２０に示すように、前記ひだｂ１の下端側の部分ｓ１に前記掛止環ｓが位置することになるため、同図に示すように、前記掛止孔ｔの全体又は一部分が該下端側の部分ｓ１に隠れた状態となり易い。そのため、該掛止孔ｔを露出させてカーテンフックｕを掛け止めしなければならないことになり、前記カーテンフックｕを該掛止環ｓに一層掛け止めにくい問題が発生した。
【先行技術文献】
【特許文献】
【００１９】
【特許文献１】特開２００１−１４５５６号公報
【発明の概要】
【発明が解決しようとする課題】
【００２０】
本発明は前記従来の問題点を鑑みて開発されたものであり、吊下されるカーテンに特別な縫製加工を施さなくても、複数枚のカーテンの重なり状態を自然なものとしてカーテン重なり状態の見栄えを向上できてカーテンのファッション性を向上させ得るカーテン吊り具の提供を課題とするものである。
【００２１】
又本発明は、後のカーテンを掛着部に容易に掛け止めし得るカーテン吊り具の提供を課題とするものである。
【００２２】
又本発明は、遮光性や遮熱性、防音性、保温性等、カーテンの機能が向上された重ねカーテンを構成し得るカーテン吊り具の提供を課題とするものである。
【課題を解決するための手段】
【００２３】
前記課題を解決するため本発明は以下の手段を採用する。
即ち本発明に係るカーテン吊り具の第１の態様は、カーテン生地の上端側の部分に重ね片が重ね合わせられることによってカーテン上縁側の部分が構成されると共に、上下方向に延長し且つ下端開放の挿入部が該カーテン上縁側の部分に設けられてなる前のカ−テンと、これに重なる後のカ−テンとを吊下するために用いられるカ−テン吊り具であって、前記前のカ−テンに取り付けられる吊り具本体の前面の下端側に、前記挿入部の下端縁部に当接し得る当接部を有した前方突出部が設けられると共に、該前方突出部に、前記挿入部に挿入される挿入杆が設けられている。又、前記吊り具本体に、その上側部分に設けられている上側係合部に対してラチェット式に下方に移動可能に係合し得る第１の摺動部材が設けられ、該第１の摺動部材は、前記上側係合部に上下方向に延長する如く設けられている第１のラチェット歯列に対して下方に移動可能に弾性的に係合する第１のラチェット爪片を有した第１の摺動部が設けられており、該第１の摺動部に、カ−テンランナーに掛け止め可能なフックが設けられている。又、前記吊り具本体の下側部分に設けられた支持部に、前記後のカーテンを掛け止めし得る掛着部が設けられており、該掛着部は、前記後のカーテンの上端縁を前記重ね片の下端縁よりも上方に位置させることができるように、前記吊り具本体の下端よりも上方に位置させて設けられている。又、前記吊り具本体には、前記上側係合部と前記支持部との間に取り外し用間隙部が設けられており、前記第１の摺動部材が下方に移動して前記第１のラチェット歯列と前記第１のラチェット爪片との係合が解除されて前記第１の摺動部が該取り外し用間隙部に位置することにより、前記第１の摺動部材が前記吊り具本体から取り外されることを特徴とするものである。
【００２４】
本発明に係るカ−テン吊り具の第２の態様は、カーテン生地の上端側の部分に重ね片が重ね合わせられることによってカーテン上縁側の部分が構成されると共に、上下方向に延長し且つ下端開放の挿入部が該カーテン上縁側の部分に設けられてなる前のカ−テンと、これに重なる後のカ−テンとを吊下するために用いられるカ−テン吊り具であって、前記前のカーテンに取り付けられる吊り具本体の前面の下端側に、前記挿入部の下端縁部に当接し得る当接部を有した前方突出部が設けられると共に、該前方突出部に、前記挿入部に挿入される挿入杆が設けられている。又、前記吊り具本体に、その上側部分に設けられている上側係合部に対してラチェット式に下方に移動可能に係合し得る第１の摺動部材が設けられ、該第１の摺動部材は、前記上側係合部に上下方向に延長する如く設けられている第１のラチェット歯列に対して下方に移動可能に弾性的に係合する第１のラチェット爪片を有した第１の摺動部が設けられており、該第１の摺動部に、カ−テンランナ−に掛け止め可能なフックが設けられている。又、前記吊り具本体に、その下側部分に設けられている下側係合部に対してラチェット式に上方に移動可動に係合し得る第２の摺動部材が設けられ、該第２の摺動部材は、前記下側係合部に上下方向に延長する如く設けられている第２のラチェット歯列に対して上方に移動可能に弾性的に係合する第２のラチェット爪片を有した第２の摺動部が設けられており、該第２の摺動部に、前記後のカ−テンを掛け止めし得る掛着部が設けられており、該掛着部は、前記後のカーテンの上端縁を前記重ね片の下端縁よりも上方に位置させることができるように、前記吊り具本体の下端よりも上方に位置させて設けられている。又、前記吊り具本体には、前記上側係合部と前記下側係合部との間に取り外し用間隙部が設けられており、前記第１の摺動部材が下方に移動して前記第１のラチェット歯列と前記第１のラチェット爪片との係合が解除されて前記第１の摺動部が該取り外し用間隙部に位置することにより、前記第１の摺動部材が前記吊り具本体から取り外される一方、前記第２の摺動部材が上方に移動して前記第２のラチェット歯列と前記第２のラチェット爪片との係合が解除されて前記第１の摺動部が前記取り外し用間隙部に位置することにより、前記第２の摺動部材が前記吊り具本体から取り外されることを特徴とするものである。
【００２５】
前記第１の態様に係るカ−テン吊り具において、前記掛着部は、前記支持部から後方に突出する後方突出部の先側部位に設けられた掛止環を有して構成されたものとし、該掛止環の有する掛止孔の孔心を前後方向に設定するのがよい。又、該カ−テン吊り具において、前記掛着部を、前記支持部から後方に突出する後方突出部の先側部位に前後方向で揺動可能に吊下され、且つ、重力の作用によって垂下状態を呈し得る掛止環を以て構成し、該掛止環の有する掛止孔の孔心を前後方向に設定されたものとするのがよい。
【００２６】
前記第２の態様に係るカ−テン吊り具において、前記掛着部は、前記第２の摺動部から後方に突出する後方突出部の先側部位に設けられた掛止環を有して構成されたものとし、該掛止環の有する掛止孔の孔心を前後方向に設定するのがよい。
【００２７】
又、該カ−テン吊り具において、前記掛着部を、前記第２の摺動部から後方に突出する後方突出部の先側部位に前後方向で揺動可能に吊下され、且つ、重力の作用によって垂下状態を呈し得る掛止環を以て構成し、該掛止環の有する掛止孔の孔心を前後方向に設定されたものとして構成するのがよい。
【００２８】
前記の各カ−テン吊り具において、前記後方突出部と前記吊り具本体との間に、中間カ−テンの上縁部分に取り付けられたル−プ状吊下紐を引っ掛けるための引っ掛け溝部が設けられたものとして構成するのがよい。
【発明の効果】
【００２９】
本発明は以下の如き優れた効果を奏する。
(1) 本発明に係るカーテン吊り具によるときは、前後のカーテンを重なり状態で同時に吊下でき、更に、該前後のカーテン間に中間カーテンを吊下状態に配置することも可能である。そして本発明に係るカ−テン吊り具は、前記吊り具本体の長さ方向の中間部分に取り外し用間隙部を設ける構成を採用しているため、前記後のカ−テンの上端縁を前記重ね片の下端縁よりも上方に位置させることができる。従って、該カーテン吊り具に前後のカーテンを吊下した状態で、両カーテンのカーテン上縁側の部分の重なり状態を自然で一体性を有するものとなし得、これによってカーテンの重なり状態の見栄えを向上させ得る。それ故、かかる構成を有するカーテン吊り具を用いて構成された重ねカーテンを、その前後のカーテンの適宜の組み合わせによってファッション性に富んだものとして構成できることとなる。
又、前記後のカ−テンの上端縁を前記重ね片の下端縁よりも上方に位置させることができるため、重ねカ−テンの上縁側の部分の遮光性向上を図ることができる。
【００３０】
(2) 前記掛着部を、前記支持部又は前記第２の摺動部から後方に突出する後方突出部の先側部位に設けられた掛止環の有する掛止孔の孔心を前後方向に設定する場合は、該掛止環が、該支持部又は該第２の摺動部から離れて位置するために、且つ該孔心が前後方向であるために、前記後のカ−テンを該掛止環に、その後側から前方に向けて容易に掛け止めできる。
【００３１】
(3) 前記掛着部を、前記支持部又は前記第２の摺動部から後方に突出する後方突出部の先側部位に前後方向で揺動可能に吊下し、重力の作用によって垂下状態を呈し得る掛止環を以て構成し、該掛止環の有する掛止孔の孔心を前後方向に設定する場合は、該掛止環が、該支持部又は該第２の摺動部から離れて位置するために、且つ該孔心が前後方向であるために、前記後のカ−テンを該掛止環に、その後側から前方に向けて容易に掛け止めできる。加えて、該掛止環が前後方向で揺動可能であり重力の作用によって垂下状態を呈するために、該掛止環を例えば図７に示すように手で手前に少し起せば、該掛止環に対する前記カーテンフックの掛け止めをより容易に行うことができる。
【００３２】
(4) 前記吊り具本体の下側部分に設けられている下側係合部に対してラチェット式に上方に移動可能に係合し得る第２の摺動部材を設ける場合は、前記後のカーテンが前記掛着部に掛け止めされたままの状態での第２の摺動部の高さ調整によって、前記後のカーテンの高さを調整できる。
【００３３】
(5) 又、前記後方突出部と前記吊り具本体との間に、中間カ−テンの上縁部分に取り付けられたル−プ状吊下紐を引っ掛けるための引っ掛け溝部を設ける構成を採用し、前後のカーテンの間に中間カーテンを掛け止める場合は、該中間カーテンとして、遮光性や遮熱性、防音性、保温性等のカーテン機能が向上されたカーテンを用いることにより、これらの機能が向上された重ねカーテンを構成できることとなる。
【図面の簡単な説明】
【００３４】
【図１】本発明に係るカ−テン吊り具を示す斜視図と、その分解斜視図と、その断面図である。
【図２】そのカ−テン吊り具を用いて構成された重ねカ−テンを示す部分斜視図である。
【図３】その重ねカ−テンを示す断面図である。
【図４】上縁側の部分に挿入部が設けられてなる前のカ−テンを示す斜視図と、その平面図である。
【図５】吊り具本体から第１の摺動部材を取り外す要領を説明する断面図と、側面図と、吊り具本体の下端部分に設けられた掛着部の構成を説明する側面図である。
【図６】吊り具本体の上側係合部の係合段差面に第１の摺動部のラチェット爪片が係合した状態を示す断面図と、その側面図と、該ラチェット爪片がラチェット歯の傾斜面を下降する様子を示す断面図である。
【図７】前記掛着部を構成する掛止環に、後のカ−テンのカ−テンフックを掛け止めする要領を説明する説明図である。
【図８】前後のカ−テンの間に中間カ−テンを配置して構成された重ねカ−テンを示す断面図である。
【図９】ル−プ状吊下紐が設けられた中間カ−テンを示す部分斜視図である。
【図１０】前のカ−テンとして、丈の短いフリル状のカ−テンを用いて構成された重ねカーテンを示す断面図である。
【図１１】上側係合部と下側係合部を具える吊り具本体を用いて構成された重ねカーテンを示す断面図である。
【図１２】その吊り具本体を示す斜視図と、その分解斜視図である。
【図１３】下側係合部における、第２の摺動部と係合段差面との係合状態を示す断面図と、その側面図である。
【図１４】そのカ−テン吊り具を用いて構成され、且つ、前後のカ−テンの間に中間カ−テンが配置されてなる重ねカーテンを示す断面図である。
【図１５】取り外し用間隙部の他の態様を示す斜視図である。
【図１６】掛着部の他の態様を示す正面図である。
【図１７】掛着部のその他の態様を示す正面図である。
【図１８】掛着部のその他の態様を示す斜視図である。
【図１９】従来のカ−テン吊り具の構成と、これを用いて構成された重ねカ−テンを示す断面図である。
【図２０】その部分斜視図である。
【図２１】その重ねカーテンを構成する前のカ−テンの構成を説明する部分斜視図である。
【図２２】既製品としてのカ−テンの構成を説明する部分斜視図である。
【図２３】既製品としてのカ−テンと従来のカ−テン吊り具を用いて重ねカ−テンを構成した場合の問題点を説明する説明図である。
【発明を実施するための形態】
【実施例１】
【００３５】
図１〜３において本発明に係るカーテン吊り具１は、前のカーテン２と、これに重なる後のカーテン３とを同時に吊下するために用いられるものであって、例えば図２〜３に示すような、一般住宅の窓部に吊下される重ねカーテン５を構成できる。
【００３６】
前記前のカーテン（本実施例においては室内側のカーテン）２と前記後のカーテン（本実施例においては窓側のカーテン）３は、既製品としてのカ−テンやオ−ダ−メイドのカ−テンであり、カーテン生地６の上端側の部分１０に、重ね片９が重ね合わせられている。該重ね片９は、前記カーテン生地６とは別体の片を用いて構成してもよいのであるが、本実施例においては、前記カーテン生地６の上端７に一体に連設されてなる折り返し片１３を下向きに折り返すことによって、該折り返し片１３を以て構成されている。該重ね片９と該カ−テン生地６との間には通常の場合、芯地が挿入されるのであるが、図示は省略されている。
【００３７】
そして、該重ね片９（折り返し片１３）の下端縁部分１５を該カーテン生地６の幅方向に縫製すると共に、これによって形成されたカーテン上縁側の部分１６に、カーテン長さ方向に所要間隔を置いてひだ１７を形成することによって、前記前のカーテン２と前記後のカーテン３とされている。本実施例においては、前記前のカーテン２のカーテン上縁側の部分１６の上下幅Ｌ１（図２）は９０ｍｍ程度に設定されると共に、前記後のカーテン３のカーテン上縁側の部分１６の上下幅Ｌ２は７５ｍｍ程度に設定されている。
【００３８】
そして該ひだ１７は、図４に示すように、ひだ基部側の部分８を上下方向全長に亘って縫製することによって構成されており、該縫製により形成された縦方向縫製部１４によって、該ひだ１７の内部に、前記折り返し片１３の下端縁１８位置で下端開放状態にある挿入部１２が形成されている。
【００３９】
前記重ねカーテン５を構成する前記後のカーテン３は、図２に示すように、これを窓の外から見たときにカ−テンの正面側１９が見えるように吊下されており、かかる重ねカーテン５は、同時に開閉できる。
【００４０】
そして前記カーテン吊り具１は、ポリアセタ−ルやポリカーボネ−ト等の弾性合成樹脂を以て形成されており、図１〜３、図５〜６に示すように、前記前のカーテン２に取り付けられる吊り具本体２０を具え、該吊り具本体２０には、その上側部分に設けられている上側係合部２１に対してラチェット式に下方に移動可能に係合し得る第１の摺動部材２２が設けられている。又、該吊り具本体２０の下側部分に支持部２３が設けられており、該支持部２３に、前記吊り具本体２０の下端２５よりも上方に位置させて、前記後のカーテン３を掛け止めし得る掛着部２６が設けられている。そして該吊り具本体２０には、前記上側係合部２１と前記支持部２３との間に取り外し用間隙部２７が設けられている。
【００４１】
前記吊り具本体２０は、図１に示すように、上下に長い横断面Ｈ字状を呈する軸体として構成されており、間隔を隔てて平行して配置された板状を呈する前板片２９と後板片３０相互が、向き合う長手中心線に沿って連結片３１で連結されている。そして、前記上側係合部２１には図５〜６に示すように、該連結片３１の左右両側に、上下方向に延長する第１のラチェット歯列３２，３２が設けられている。
【００４２】
該第１のラチェット歯列３２は、図６に示すように、前記連結片３１の左右面３３，３３の上端部分に左右対称に設けられた水平な下向きの係合段差面３５，３５と、該左右面３３，３３に、該係合段差面３５，３５に続けて下方向に連続して設けられたラチェット歯３６とから構成されている。該ラチェット歯３６は、前記連結片３１の左右面３３，３３を基端として、下方に向け且つ左右方向で見た外方に傾斜する傾斜面３７を有し、該傾斜面３７の下端で、水平な下向きの係合段差面３５が設けられ、該係合段差面３５の左右方向で見た内端が前記左右面３３，３３に存する如く構成された、鋸歯状を呈している。本実施例においては、前記第１のラチェット歯列３２は、かかる構成を有するラチェット歯３６が上下方向に１１個連設されており（図５（Ａ））、左右のラチェット歯３６，３６は左右対称である。本実施例においては、前記吊り具本体２０の全長が９０ｍｍ程度に、前記ラチェット歯３６の上下長さが５ｍｍ程度に、前記係合段差面３５の左右幅が０．８７ｍｍ程度に設定されている。
【００４３】
又前記第１の摺動部材２２は、ポリアセタ−ルやポリカーボネ−ト等の弾性合成樹脂を以て形成されており、図１〜３、図５〜６に示すように、第１の摺動部３９に、カーテンランナー４０（図３）に掛け止め可能なフック４１が設けられている。該第１の摺動部３９は、図１、図６に示すように、前記後板片３０と前記連結片３１とを挿通させ得る挿通孔４２（図１（Ｂ））を有したボックス状を呈しており、前記後板片３０の後面４３に当接し得る基板４５の左右両側に、該後板片３０の左右の側面４６，４６に当接し得る側片４７，４７が対向して突設されると共に、該両側片４７，４７の前側の内面には、前記後板片３０の前面４９の左右部分５０，５０に当接し得る突部５１，５１が向き合う方向に突設されている。又該左右の側片４７，４７の前側の上端に、ラチェット爪片５２，５２が該側片４７，４７に一体に連続して設けられており、該ラチェット爪片５２，５２の上端側の部分５３，５３が、前記後板片３０の前面の左右部分５０，５０に当接し得る。該第１の摺動部３９の上下方向の長さは１２ｍｍ程度に設定されている
【００４４】
かかる構成を有する左右の第１のラチェット爪片５２，５２は、薄板状を呈して比較的柔軟であり、柔軟に撓み変形して前記ラチェット歯３６に従って比較的軽く下方に移動できる。然して、図６（Ａ）（Ｂ）に示すように、該左右の第１のラチェット爪片５２，５２の上端部５５，５５が前記係合段差面３５，３５に当接状態に係合できると共に、前記第１の摺動部３９が下方に移動して該左右の上端部５５，５５が、図６（Ｃ）に示すように、鋸歯状を呈する前記左右のラチェット歯３６，３６の前記左右の傾斜面３７，３７を下降するに伴って、該左右の第１のラチェット爪片５２，５２は、弾性的に拡開できる。
【００４５】
又図１（Ｂ）に示すように、前記基板４５の後面５６には、倒Ｕ字状に屈曲する前記フック４１の前側の立ち上がり片５７の下端５９が一体に連続して設けられており、後側の立ち下がり片６０の下端部分は細く形成され、該後側の立ち下がり片６０が、図３に示すように前記カーテンランナ−４０の吊環６１に掛け止めされる。
【００４６】
前記支持部２３は、本実施例においては図１、図５に示すように、該吊り具本体２０と一体に設けられており、該吊り具本体２０の下端側の部分よりも稍厚肉に形成されている。そして該支持部２３の後面６２は、上方に向けて後方に傾斜する傾斜面として構成されており、該支持部２３の後部上端６３に後方突出部６５が設けられている。該後方突出部６５は、後方に向け且つ上方に向けて突出する、側面視で矩形状を呈した矩形板状に構成され、その前部下端コ−ナ−部６４が、前記後部上端６３に一体に連続している。
【００４７】
そして、該後方突出部６５の対向する下側部分の後部分の左右面が同程度に欠切されることによって、該後方突出部６５の下側部分が上側部分よりも薄肉に形成されており、薄肉の該下側部分６６に、孔心が左右方向である取付け孔６７が設けられている。該取付け孔６７には、上端が水平部６９として形成された円環状の掛止環７０が、該水平部６９を該取付け孔６７に遊通状態にして取り付けられている。
【００４８】
該掛止環７０は、前記後のカーテン３のカーテン上縁側の部分１６に取り付けられたカーテンフック７１を図３に示すように掛け止めするための前記掛着部２６を構成している。該掛止環７０（掛着部２６）は、前記後方突出部６５の突出量に応じて前記支持部２３の前記後面６２から離間しており、該後面６２と該掛止環７０との間に引っ掛け用空間７２（図５）が設けられている。本実施例においては、該後面６２の下端６２ａと該掛止環７０との間の水平距離が５ｍｍ程度に設定されている。
【００４９】
該掛止環７０は、このように前記後面（本実施例においては傾斜面）６２から離間しているため、前記水平部６９が前記取付け孔６７で下方から支持されて、図５（Ｃ）に一点鎖線と二点鎖線で示すように、前後方向で揺動可能であり、同図に実線で示すように、重力の作用によって垂下状態を呈し得る。そして該掛止環７０は、本実施例においては、図１（Ａ）（Ｂ）、図５（Ｃ）に示すように、その孔心７３が前後方向である掛止孔７５が設けられている。該掛止環７０の前記水平部６９の長さは例えば１０ｍｍ程度で、該掛止孔７５の上下長さは５．３ｍｍ程度に設定されている。かかる構成を有する該掛止孔７５の下端７６は、前記吊り具本体２０の下端２５よりも所要高さ上方に位置させてある。該所要高さは、後述のように、前記後のカーテン３の上端縁７９（図２〜３）を前記前のカーテン２の前記重ね片９の下端縁１８（図２〜３）よりも上方に位置させることができるように設定されている。
【００５０】
そして、前記上側係合部２１と前記支持部２３との間に設けられている前記取り外し用間隙部２７は、該上側係合部２１に対してラチェット式に下方に移動した前記第１の摺動部３９を前記吊り具本体２０から取り外し可能とするためのものである。本実施例においては図１に示すように、前記後板片３０の途切れ部分として構成されており、前記連結片３１の肉厚に等しい平板状の繋ぎ板部８１を有しており、該取り外し用間隙部２７の上下長さは、図５（Ｂ）に示すように、前記第１の摺動部３９の上下長さよりも若干大きく形成されている。例えば１４ｍｍに設定されている。該取り外し用間隙部２７は、前記上側係合部２１と前記支持部２３との間の全体を以て構成されてもよいのであるが、本実施例においては、該間の一部分を以て構成されている。このように本実施例においては、該取り外し用間隙部２７が繋ぎ板部８１を有して構成されているため、該繋ぎ板部８１のリブ作用によって前記吊り具本体２０の強度が向上されている。
【００５１】
然して図１（Ｃ）に示すように、前記後板片３０を前記挿通孔４２に挿通させると、前記対向する側片４７，４７が前記後板片３０を左右側から挾む。この状態で、前記吊り具本体２０に対して前記第１の摺動部３９を下方に移動させると、左右の第１のラチェット爪片５２，５２が、弾性的に撓み変形して、順次下方のラチェット歯３６に係合していく。該第１のラチェット爪片５２，５２は、前記のように薄板状を呈して比較的柔軟であるため、該第１の摺動部３９の移動時に柔軟に撓み変形して該ラチェット歯３６に従って比較的軽く下方に移動できる。そして、該左右の第１のラチェット歯列３２，３２の前記係合段差面３５，３５に対する係合が確実に行われる。
【００５２】
該下方への移動は、前記カーテンランナ−４０に対する前記前のカ−テン２の高さを調整するために行われるのである。前記第１の摺動部３９を下方に移動させる際に、移動の勢いによって該第１の摺動部３９が下方に行き過ぎて前記フック４１がその設定高さよりも低くなった場合は、該第１の摺動部３９を前記第１のラチェット歯列３２，３２の下方に更に移動させて、図５（Ａ）（Ｂ）に示すように、これを前記取り外し用間隙部２７に位置させ、図５に一点鎖線で示すように、該第１の摺動部３９を該第１のラチェット歯列３２，３２から一旦取り外す。然る後、該第１のラチェット歯列３２，３２の上端側に対して該第１の摺動部３９を付け直し、該第１の摺動部３９を再度下方に移動させて前記フック４１の高さを所要に設定する。
【００５３】
そして本実施例においては図１、図５（Ｃ）、図８に示すように、矩形板状を呈する前記後方突出部６５の前面８３と前記吊り具本体２０の後面８５との間に、中間カ−テン８４（図８）を吊下するためのループ状吊下紐８６を引っ掛けるための引っ掛け溝部８７が形成されている。
【００５４】
又図１、図５に示すように、前記吊り具本体２０の前面（前記後板片３０の前面）８８の下端側に、前記前のカーテン２の前記縦方向縫製部１４の下端部（前記挿入部１２の下端縁部）８０に当接し得る当接部９０を上端に有した前方突出部９１が突設されると共に、該前方突出部９１に、前記挿入部１２（図３〜４）に挿入される挿入杆９２が上方に延長する如く設けられている。該挿入杆９２は、本実施例においては図３に示すように、前記前のカーテン２の前記ひだ１７において該挿入部１２に下端から上方に向けて挿入される。又本実施例においては図１、図５に示すように、該前方突出部９１の下端９３が前記吊り具本体２０の下端２５と面一状態を呈しており、該下端２５と前記当接部９０との間の距離は７．２ｍｍ程度に設定されている。又、該挿入杆９２の上端９５（図５）は前記吊り具本体２０の上端９６と略同高さにある。
【００５５】
図２〜３は、かかる構成を有するカ−テン吊り具１を用いて、前のカーテン２と後のカーテン３とを重ね状態でカーテンランナ−４０の吊環６１に掛け止めした状態を示しており、前記重ねカーテン５が構成されている。図２〜３においては、前記挿入杆９２が、前記ひだ１７において形成された前記挿入部１２に下端から上方に向けて挿入されている。そして、該挿入杆９２が該挿入部１２に挿入された状態で、図３に示すように、前記吊り具本体２０の前面８８の上側部分に突設された三角形状の嵌入突部９７（図５（Ｂ））が、前記縦方向縫製部１４を、前記挿入杆９２の上側部分の後面に設けられている三角形状の欠切凹部９９に向けて押え、これによって、該挿入杆９２が前記挿入部１２に固定状態とされている。この状態で、前記縦方向縫製部１４の下端部８０が前記前方突出部９１の前記当接部９０に当接した状態にあり、前記第１の摺動部３９は、前記左右の第１のラチェット歯列３２，３２の上下方向で見た中間部位にあり、図６（Ａ）（Ｂ）に示すように、前記左右の第１のラチェット爪片５２，５２の上端部５５，５５が前記左右の係合段差面３５，３５に当接した係合状態にある。
【００５６】
然して、前記フック４１を前記カーテンランナ−４０の吊環６１に掛け止めした状態においては、該係合状態が安定的に保持されるため、前記重ねカーテン５が該吊環６１に安定吊下状態となる。そしてこの状態で前記後のカーテン３を、例えば、そのカーテンの正面側１９を窓側にして前記カーテンフック７１を前記掛止環７０に掛け止めするに際しては、図２〜３に示すように、該カーテンフック７１を、該掛止環７０の後側から前方に向けて容易に掛け止めできる。
【００５７】
これは、前記したように、掛止環７０の孔心７３が前後方向であり且つ該掛止環７０が前記支持部２３の後面６２から離れて位置しているために、カーテンフック７１を該掛止環７０に無理なく掛け止めできることによる。従って、特許文献１におけるような、後のカーテン３のカーテン上縁側の部分１６を捩じってカーテンフック７１を横向きにする操作が不要であり、該後のカーテン３を前記掛止環７０に容易に掛け止めることができるのである。特に本実施例においては、前記掛止環７０が前記支持部２３の後面６２から後方に距離を隔てて設けられ且つ、該掛止環７０が、前後方向で揺動可能であり、重力の作用によって垂下状態を呈し得る如く構成されていることから、該掛止環７０を例えば図７に示すように手で手前に少し起せば、該掛止環７０に対する前記カーテンフック７１の掛け止めをより容易に行うことができる。又、該カ−テンフック７１を該掛止環７０から容易に外すことができる。
【００５８】
要するに、カーテンランナ−４０に設けられている吊環６１に対して前記フック４１を掛け止めるのと同様の要領で、後のカーテン３のカーテンフック７１を該掛止環７０に無理なく掛け止めでき、又、該カ−テンフック７１を該掛止環７０から無理なく外すことができるということである。
【００５９】
そして前記カーテン吊り具１は、前記吊り具本体２０の長さ方向の中間部分に取り外し用間隙部２７を設けて前記第１の摺動部３９の取り外しを可能としたため、前記後のカーテン３を掛け止めするための掛止環７０を、特許文献１における場合とは異なり該吊り具本体２０の下端７７よりも上方に位置させる構成を採用できているのである。従って、前記重ねカーテン５にあっては、前記前のカーテン２に図２１に示すような特別な縫製加工を施さなくても、図２〜３に示すように、前記後のカーテン３の上端縁７９を前記前のカーテン２の前記重ね片９の下端縁１８の上方に位置させることができるのである。
【００６０】
これによって、重ねカーテン５を後側（窓の外側等）から見た状態における前後のカーテン２，３の重なり状態を自然なものとして、両カーテン２，３の重なり状態の見栄えを向上できる。かかることから、例えば四季折々に前後のカーテン２，３を適宜に組み合わせて部屋の雰囲気を変化させて重ねカーテン５のファッション性を楽しむことができることとなる。その際、前後のカーテン２，３の双方を交換できる他、前後のカーテン２，３の何れか一方のみを交換することもできる。
【００６１】
又、前記後のカーテン３の上端縁７９を前記前のカーテン２の前記重ね片９の下端縁１８の上方に位置させることができて、例えば図２３に示す場合のような間隙ｐ１を生じさせないため、前後のカーテン２，３によって効果的に遮光でき、又、前記折り返し片１３の下端縁部分１０１の前記縫製によって生じている縫い目を通して光が室内に進入するのを抑制でき、これらによって、重ねカーテン５の遮光性を向上させることができる。
【００６２】
図８は、前後のカーテン２，３の間に前記中間カ−テン８４を配置して構成された重ねカーテン５を示している。該中間カ−テン８４は、例えば、遮光性や遮熱性、防音性、保温性等、カーテン機能が向上された機能性カーテンであり、例えば図９に示すように、その上縁部分１０２に、その長さ方向に所要間隔を置いて前記ループ状吊下紐８６が取り付られている。然して図８に示すように、該ループ状吊下紐８６を前記引っ掛け溝部８７に引っ掛けることによって、前後のカーテン２，３間に該中間カ−テン８４を吊下状態に配設できる。この場合、該中間カ−テン８４としては前記の機能性カ−テンを用いることができ、これによって、遮光性や遮熱性、防音性、保温性等の機能が向上された３枚重ねの重ねカーテン５を構成できることとなる。該中間カ−テン８４は、その下端を前記前後のカーテン２，３の下端と合致させる必要はない。このようにして、前後のカーテン２，３の間に機能性の中間カーテン８４を配置するときは、重ねカーテン５の全体的なデザイン性を該前後のカーテン２，３で確保しつつ機能性向上を図り得ることとなる。
【００６３】
かかる３枚重ねの重ねカーテン５の一例としては、室内側に位置する前のカーテン２を、薄地のレ−スカ−テンやボイルカ−テンとし、中間カ−テン８４を、前記の機能性カ−テンとし、窓側に位置する後のカーテン３を、厚地カーテンとしたものを挙げることができる。
【００６４】
又図１０に示すように、前のカ−テン２を、丈の短いフリル状のカ−テンとし、後のカ−テン３を、丈の長いカ−テンとすることもできる。
【実施例２】
【００６５】
図１１〜１３は、本発明に係るカーテン吊り具１の他の実施例を示すものであり、上下方向に延長し且つ下端開放の挿入部１２がカーテン上縁側の部分１６に設けられてなる前のカーテン２と、これに重なる後のカ−テン３とを吊下するために用いられるカ−テン吊り具１である点、又、前記前のカーテン２に取り付けられる吊り具本体２０の前面８８の下端側に、前記挿入部１２の前記下端縁部８０に当接し得る当接部９０を有した前方突出部９１が設けられると共に、該前方突出部９１に、前記挿入部１２に挿入される挿入杆９２が設けられている点、又、前記吊り具本体２０に、その上側部分に設けられている上側係合部２１に対してラチェット式に下方に移動可能に係合し得る第１の摺動部材２２が設けられ、該第１の摺動部材２２は、該上側係合部２１に上下方向に延長する如く設けられた第１のラチェット歯列３２に対して下方に移動可能に弾性的に係合する第１のラチェット爪片５２を有した第１の摺動部３９が設けられており、該第１の摺動部３９に、カーテンランナ−４０に掛け止め可能なフック４１が設けられている点、については実施例１に係るカ−テン吊り具１と同様であるため、その具体的な説明は省略する。
【００６６】
実施例１に係るカ−テン吊り具１と相違するのは、前記吊り具本体２０の下側部分に設けられている下側係合部１０７に対してラチェット式に上方に移動可動に係合し得る第２の摺動部材１０９が設けられている点である。
【００６７】
該第２の摺動部材１０９は、前記下側係合部１０７に上下方向に延長する如く設けられた第２のラチェット歯列１１０に対して上方に移動可能に弾性的に係合し得る第２のラチェット爪片１１１を有した第２の摺動部１１２が設けられており、該第２の摺動部１１２に、前記後のカ−テン３を掛け止めし得る掛着部２６が設けられている。そして該掛着部２６は、図１１に示すように、前記後のカーテン３の上端縁７９を前記重ね片９の下端縁１８よりも上方に位置させることができるように、前記吊り具本体２０の下端２５よりも上方に位置させて設けられている。
【００６８】
又前記吊り具本体２０には、前記上側係合部２１と前記下側係合部１０７との間に取り外し用間隙部２７が設けられており、前記第１の摺動部材２２が下方に移動して前記第１のラチェット歯列３２と前記第１のラチェット爪片５２との係合が解除されて前記第１の摺動部３９が該取り外し用間隙部２７に位置することにより、該第１の摺動部材２２が前記吊り具本体２０から取り外される一方、前記第２の摺動部材１０９が上方に移動して前記第２のラチェット歯列１１０と前記第２のラチェット爪片１１１との係合が解除されて前記第２の摺動部１１２が前記取り外し用間隙部２７に位置することにより、前記第２の摺動部材１０９が前記吊り具本体２０から取り外されるように構成されている。
【００６９】
前記第１のラチェット歯列３２は実施例１で説明したところと同様の構成を有しており、前記第２のラチェット歯列１１０は、該第１のラチェット歯列３２と上下逆の構成を有し、該第２のラチェット歯列１１０を構成する鋸歯状のラチェット歯３６は前記第１のラチェット歯列３２を構成する鋸歯状のラチェット歯３６と上下逆の構成を有している。そして該第２のラチェット歯列１１０を構成する該ラチェット歯３６の個数は、本実施例においては３個に設定されており、前記下側係合部１０７に設けられている水平な上向きの係合段差面３５は３段に設定されている。
【００７０】
又、前記第２の摺動部１１２を構成する、前記後板片３０の後面４３に当接し得る基板４５の上端には、後方に向け且つ上方に向けて突出する、側面視で矩形状を呈する矩形板状の後方突出部６５の前部下端コ−ナ−部６３が一体に連続して設けられている。なお該後方突出部６５の対向する下側部分の後部分の左右面が同程度に欠切されることによって、該後方突出部６５の下側部分が上側部分よりも薄肉に形成されており、薄肉の該下側部分６６に、孔心が左右方向である取付け孔６７が設けられている。そして該取付け孔６７には、上端が水平部６９として形成された円環状の掛止環７０が、該水平部６９を該取付け孔６７に遊挿状態にして取り付けられている。
【００７１】
該掛止環７０は、前記後のカーテン３の上縁側の部分１６に取り付けられたフック７１を掛け止めするための前記掛着部２６を構成しており、該掛止環７０（掛着部２６）は、前記後方突出部６５の突出量に応じて前記基板４５の後面１１３（図１１、図１３（Ｂ））から離間しており、該後面１１３と該掛止環７０との間に引っ掛け用空間７２（図１３（Ｂ））が設けられている。該後面１１３は、本実施例においては、上方に向けて後方に傾斜する傾斜面として構成されており、該後面１１３の下端１１３ａと該掛止環７０との間の水平距離が５ｍｍ程度に設定されている。
【００７２】
該掛止環７０は、このように前記後面１１３から離間しているため、前記水平部６９（図１２（Ｂ））が前記取付け孔６７で下方から支持されて前後方向で揺動可能である。そして、重力の作用によって垂下状態を呈し得る。該掛止環７０は、本実施例においては図１２（Ａ）に示すように、その孔心７３が前後方向である掛止孔７５が設けられている。該掛止環７０の前記水平部６９の長さは例えば１０ｍｍ程度で、該掛止孔７５の上下長さは５．３ｍｍ程度に設定されている。
【００７３】
そして前記取り外し用間隙部２７は、実施例１におけると同様の繋ぎ板部８１を有して構成されている。本実施例においては該取り外し用間隙部２７の上下長さを、同一の上下長さを有する前記第１、第２の摺動部３９，１１２の上下長さよりも若干大きく設定している。本実施例においては１４ｍｍ程度に設定している。これによって、前記上側係合部２１に対してラチェット式に下方に移動した前記第１の摺動部材２２を前記吊り具本体２０から取り外すことができ、又、前記下側係合部１０７に対してラチェット式に上方に移動した前記第２の摺動部材１０９を前記吊り具本体２０から取り外すことができる。従って、前記第１の摺動部３９を下方に移動させる際や、前記第２の摺動部１１２を上方に移動させる際に、移動の勢いによって、これらを所定の高さで停止させることができずに行き過ぎてしまった場合は、前記第１、第２の摺動部３９，１１２を前記取り外し間隙部２７で一旦取り外して、該第１、第２摺動部３９，１１２を、前記第１、第２のラチェット歯列３２，１１０に装着し、再度これらの高さを調整できる。
【００７４】
図１１は、かかる構成を有するカーテン吊り具１を用いて、前のカーテン２と、これに重なる後のカーテン３とを重なり状態に吊下した一例を示しており、前記第２の摺動部材１０９の上方への移動によって前記後のカーテン３を上昇させ得る点を除いては、実施例１で説明したところと同様である。又、前記掛着部２６としての掛止環７０に、後のカーテン３のカーテンフック７１を掛け止めする要領も前記と同様である。本実施例においては、前記下側係合部１０７に前記第２のラチェット歯列１１０を設け、これに対して上方に移動可能に第２の摺動部１１２を設けているため、カーテンフック７１を介して前記後のカーテン３が前記掛着部２６に掛け止めされたままの状態（図１１）で、該第２の摺動部１１２の高さ調整によって、前記後のカーテン３の高さを若干調整できる。本実施例においては、１０〜１５ｍｍの範囲で調整できる。
【００７５】
図１３においては、前記第２の摺動部１１２が有する前記左右の第２のラチェット爪片１１１，１１１の下端部１１５，１１５が、最下端の係合段差面３５，３５に当接状態に係合している。そして前記掛止環７０は、前記吊り具本体２０の下端２５よりも上方に位置している。従って図１１に示すように、前記後のカ−テン３の上縁側の部分１６に取り付けられているカーテンフック７１を前記掛止環７０に掛け止めると、該後のカーテン３の上端縁７９は、前記前のカーテン２の前記重ね片９（前記折り返し片１３）の下端縁１８よりも上方に位置することとなる。これによって、実施例１で説明したところと同様にして、重ねカーテン５を後側（窓の外側等）から見た状態における前後のカーテン２，３の重なり状態を自然なものとして前後のカーテン２，３の重なり状態の見栄えを向上できる。又、前記後のカーテン３の上端縁７９を前記前のカーテン２の前記重ね片９の下端縁１８の上方に位置させることができて、例えば図２３に示す場合のような間隙ｐ１を生じさせないため、前後のカーテン２，３によって効果的に遮光でき、又、前記折り返し片１３の下端縁部分１５の前記縫製によって生じている縫い目を通して光が室内に進入するのを抑制でき、これらによって、重ねカーテン５の遮光性を向上させることができる。
【００７６】
又、前記後のカーテン３に取り付けられているカーテンフック７１を前記掛止環７０に掛け止めするに際しては、該カーテンフック７１を該掛止環７０にその後側から前方に向けて容易に掛け止めできる。従って、特許文献１におけるように、後のカーテン３の上縁側の部分１６を捩じってカーテンフック７１を横向きにする操作が不要であり、該後のカーテン３を前記掛止環７０に容易に掛け止めることができる。又、前記掛止環７０が前記基板４５の後面１１３から後方に距離を隔てて設けられているため該掛止環７０が前後方向で揺動可能であり、重力の作用によって垂下状態を呈し得ることから、該掛止環７０を例えば図７に示すと同様にして手で手前に少し起すことによって、前記掛止環７０に対する前記カーテンフック７１の掛け止めをより容易に行うことができる。又、該カ−テンフック７１を該掛止環７０から容易に外すことができる。
【００７７】
又、本実施例に係るカ−テン吊り具１を用いて構成する重ねカーテン５は、実施例１で説明したと同様に、前後のカーテン２，３からなる二重カーテンとして構成されることの他、図１４に示すように、前後のカーテン２，３間に前記中間カーテン８４を配置した３枚重ねのカーテンとして構成することもできる。
【実施例３】
【００７８】
本発明は、前記実施例で示したものに限定されるものでは決してなく、「特許請求の範囲」の記載内で種々の設計変更が可能であることはいうまでもない。その一例を挙げれば次のようである。
【００７９】
(1) 前記取り外し用間隙部２７は、例えば図１５に示すように、平板状を呈する前記繋ぎ板部８１を省略して構成することもできる。
【００８０】
(2) 前記掛着部２６を、前後方向で揺動可能の掛止環７０を以て構成する場合、該掛止環７０は、例えば樹脂製とされて、図１６や図１７等に示す形態のものとして構成することもできる。
【００８１】
(3) 前記掛着部２６は、図１８に示すように、前記支持部２３から後方に突出する後方突出片６５の先側部位に設けられた掛止環７０を有して構成することもできる。該掛止環７０は、前記後のカーテン３に取り付けられているカーテンフック７１を、後側から前方に向けて掛け止めることができるように、該掛止環７０を後方に向けて下方に傾斜させている。この場合は、該掛止環７０の有する掛止孔７５の孔心７３が、前後方向で傾斜しているが、本発明においては、このような態様も、掛止孔７５の孔心７３が前後方向に設定されていることに該当する。かかる構成は、前記第２の摺動部１１２に対しても採用できる。
【００８２】
(4) 前記後のカーテン３を掛け止めするための前記掛着部２６は、例えば特許文献１における場合と同様にして、孔心７３が左右方向である掛止環７０を以て構成することも可能である。
【００８３】
(5) 前記第１の摺動部３９は、前記吊り具本体２０の上側部分に設けられている前記上側係合部２１に対してラチェット式に下方に移動可能に係合し得るように構成されていればよく、又、前記第２の摺動部１１２は、前記吊り具本体２０の下側部分に設けられている前記下側係合部１０７に対してラチェット式に上方に移動可能に係合し得るように構成されておればよいのであり、必ずしも前記実施例で示した構成のものには特定されない。
例えば、前記第１の摺動部３９にあっては、前記吊り具本体２０の前記後板片３０の左右側において、上下方向に延長する如くラチェット歯列を設け、該ラチェット歯列に、下方に移動可能に弾性的に係合する第１のラチェット爪片を有する如く構成したり、又前記第２の摺動部１１２にあっても、かかるラチェット歯列に対して上方に移動可能に弾性的に係合する第２のラチェット爪片を有する如く構成する等、各種のラチェット式の係合構成を採用できる。
【００８４】
(6) 実施例１においては、前記カ−テン吊り具１に、前記中間カーテン８４のループ状吊下紐８６を引っ掛けるための引っ掛け溝部８７を設けているが、該ループ状吊下紐８６を、突部に引っ掛けるようにしてもよい。
【００８５】
(7) 前記中間カーテン８４の下端が、前後のカーテン２，３の下端から下方に突出してもよい。
【００８６】
(8) 本発明に係る重ねカーテン５を構成するカーテンは、ひだを具えないカーテンとして構成されることもある。
【００８７】
(9) 前記後のカ−テン３を前記掛着部２６に掛け止めする他の態様としては、該後のカーテン３の上縁側の部分１６に取り付けられたカ−テンフック７１を、前記掛止環７０の前側から後方に向けて掛け止めする態様もある。
【００８８】
(10)本発明に係る重ねカーテン５は、一般住宅や病院、ホテル、公共施設等の各種建物の窓部に用いることができる他、間仕切りカーテン等として用いることもできる。
【符号の説明】
【００８９】
１  カ−テン吊り具
２  前のカ−テン
３  後のカーテン
５  重ねカーテン
６  カ−テン生地
７  上端
９  重ね片
１０  上端側の部分
１２  挿入部
１３  折り返し片
１４  縦方向縫製部
１６  カーテン上縁側の部分
１７  ひだ
１８  下端縁
１９  正面側
２０  吊り具本体
２１  上側係合部
２２  第１の摺動部材
２３  支持部
２５  下端
２６  掛着部
２７  取り外し用間隙部
２９  前板片
３０  後板片
３１  連結片
３２  第１のラチェット歯列
３５  係合段差面
３６  ラチェット歯
３７  傾斜面
３９  第１の摺動部
４０  カ−テンランナー
５２  ラチェット爪片
６５  後方突出部
７０  掛止環
７１  カ−テンフック
７２  引っ掛け用空間
７３  孔心
７５  掛止孔
７９  カ−テンの上端縁
８１  繋ぎ板部
８６  ル−プ状吊下紐
８７  引っ掛け溝部
９１  前方突出部
９２  挿入杆
１０７  下側係合部
１０９  第２の摺動部材
１１０  第２のラチェット歯列
１１１  第２のラチェット爪片
１１２  第２の摺動部
【図１】
2015146889.tif 000003
【図２】
2015146889.tif 000004
【図３】
2015146889.tif 000005
【図４】
2015146889.tif 000006
【図５】
2015146889.tif 000007
【図６】
2015146889.tif 000008
【図７】
2015146889.tif 000009
【図８】
2015146889.tif 000010
【図９】
2015146889.tif 000011
【図１０】
2015146889.tif 000012
【図１１】
2015146889.tif 000013
【図１２】
2015146889.tif 000014
【図１３】
2015146889.tif 000015
【図１４】
2015146889.tif 000016
【図１５】
2015146889.tif 000017
【図１６】
2015146889.tif 000018
【図１７】
2015146889.tif 000019
【図１８】
2015146889.tif 000020
【図１９】
2015146889.tif 000021
【図２０】
2015146889.tif 000022
【図２１】
2015146889.tif 000023
【図２２】
2015146889.tif 000024
【図２３】
2015146889.tif 000025